(57)【要約】【課題】静粛性を保って空調効率の向上を図れるようにサーキュレータを設置するサーキュレータの設置方法を得ること。【解決手段】クロスフローファンによって気流を形成し、気流の吹出口の向きを風路ごと変更して、気流の吹出方向を変更可能なサーキュレータ１００の設置方法であって、上層階７００に位置する吹き抜け３０１と下層階６００に位置する第１の部屋３００とがなす空間の中間高さの壁面３０２にサーキュレータ１００を設置する。【選択図】図７
2019035554.tif 000002
【特許請求の範囲】
【請求項１】
クロスフローファンによって気流を形成し、前記気流の吹出口の向きを風路ごと変更して、前記気流の吹出方向を変更可能なサーキュレータの設置方法であって、
上層階と下層階とに跨がる空間の中間高さの壁面又は下層階の天井面に前記サーキュレータを設置することを特徴とするサーキュレータの設置方法。
【請求項２】
前記サーキュレータから、前記気流を前記下層階の床面に向けて吹き出させることを特徴とする請求項１に記載のサーキュレータの設置方法。
【請求項３】
前記壁面に設置した前記サーキュレータから、前記気流を上層階に向けて吹き出させることを特徴とする請求項１に記載のサーキュレータの設置方法。
【請求項４】
クロスフローファンによって気流を形成し、前記気流の吹出口の向きを風路ごと変更して、前記気流の吹出方向を変更可能なサーキュレータの設置方法であって、
第１の空間と第２の空間とを区切る下がり壁から、前記下がり壁の高さ分の距離離して前記第１の空間の天井面に前記サーキュレータを設置し、
前記気流を前記第２の空間に向かって斜め下方に吹き出させることを特徴とするサーキュレータの設置方法。
【発明の詳細な説明】
【技術分野】
【０００１】
本発明は、クロスフローファンにより気流を発生させるサーキュレータの設置方法に関する。
【背景技術】
【０００２】
空気調和装置で暖房運転又は冷房運転を行うと、室内に冷たい空気と暖かい空気とが混在する状態となる。暖かい空気は上に溜まり、冷たい空気は下に溜まる性質があるため、暖房運転によって暖められた空気が天井面付近に溜まってしまい、人がいる床面付近の空気は暖房運転を行っても暖まらないことがある。したがって、床面付近の空気を暖めるために、暖房運転の強度を高める必要があり、エネルギー消費が増大して空調効率が低下する。また、空気調和装置は、天井面に近い高さの壁面に設置されることが多いため、冷房運転中は、天井面付近の暖かい空気を取り込んで冷却風を吹き出すことになる。したがって、取り込んだ空気の温度に合わせた運転強度で冷房運転を行うと、床面付近の空気を必要以上に冷やしてしまうことになり、空調効率が低下する。上層階と下層階とに跨がる室内空間では、空間の上部と下部との温度差が顕著になり、空調効率の低下も顕著となる。
【０００３】
また、空気調和装置を設置した空間との間に下がり壁が形成されている空間は、空気調和装置から吹き出される気流が到達しない。したがって、空気調和装置を設置した空間との間に下がり壁が形成されている空間を空気調和するためには、空気調和装置を別途設置する必要がある。
【０００４】
このように、上層階と下層階とに跨がる空間の上部と下部とは、温度分布が均一になりにくい空間となっている。また、下がり壁で隔てられた二つの空間は、温度分布が均一になりにくい空間となっている。
【０００５】
空気調和装置だけでは温度の均一化を図ることが難しい空間には、空気の運搬又は撹拌を行って温度の均一化を図るサーキュレータが用いられる場合がある。特許文献１には、クロスフローファンで形成した気流の向きをルーバで変更するサーキュレータが開示されている。
【先行技術文献】
【特許文献】
【０００６】
【特許文献１】実開昭６３−６６７２８号公報
【発明の概要】
【発明が解決しようとする課題】
【０００７】
特許文献１に開示されるサーキュレータは、筐体内の風路そのものは設置面と平行に気流を吹き出す構造であり、ルーバに吹き当てて強制的に気流の向きを変えている。ルーバへの気流の衝突は、騒音が発生する原因となる。したがって、特許文献１に開示されるサーキュレータは、人が居住する床面付近に届く騒音を小さくするためには、床面から離れた高所に設置しなければならない。よって、特許文献１に開示されるサーキュレータは、空気調和装置だけでは温度分布が均一になりにくい二つの空間の温度分布を均一化したり、二つの空間の間での空気の移動を抑制したりする目的で居室の天井程度の高さに設置することは難しい。
【０００８】
本発明は、上記に鑑みてなされたものであって、静粛性を保って空調効率の向上を図れるようにサーキュレータを設置するサーキュレータの設置方法を得ることを目的とする。
【課題を解決するための手段】
【０００９】
上述した課題を解決し、目的を達成するために、本発明は、クロスフローファンによって気流を形成し、気流の吹出口の向きを風路ごと変更して、気流の吹出方向を変更可能なサーキュレータの設置方法である。本発明は、上層階と下層階とに跨がる空間の中間高さの壁面又は下層階の天井面にサーキュレータを設置する。
【発明の効果】
【００１０】
本発明によれば、静粛性を保って空調効率の向上を図れるようにサーキュレータを設置するサーキュレータの設置方法を得られるという効果を奏する。
【図面の簡単な説明】
【００１１】
【図１】本発明の実施の形態１に係るサーキュレータの斜視図
【図２】実施の形態１に係るサーキュレータの断面図
【図３】実施の形態１に係るサーキュレータの断面図
【図４】実施の形態１に係るサーキュレータの断面図
【図５】実施の形態１に係るサーキュレータの断面図
【図６】実施の形態１に係るサーキュレータの分解斜視図
【図７】実施の形態１に係るサーキュレータの設置方法を示す図
【図８】本発明の実施の形態２に係るサーキュレータの設置方法を示す図
【図９】本発明の実施の形態３に係るサーキュレータの設置方法を示す図
【図１０】本発明の実施の形態４に係るサーキュレータの設置方法を示す図
【発明を実施するための形態】
【００１２】
以下に、本発明の実施の形態に係るサーキュレータの設置方法を図面に基づいて詳細に説明する。なお、この実施の形態によりこの発明が限定されるものではない。
【００１３】
実施の形態１．
図１は、本発明の実施の形態１に係るサーキュレータの斜視図である。実施の形態１に係るサーキュレータ１００は、固定箇所に設置される板状のベースプレート１と、クロスフローファンを備えた風路部２と、ベースプレート１から突出して風路部２を支持する第１支持部３及び第２支持部４とを有する。
【００１４】
図２、図３及び図４は、実施の形態１に係るサーキュレータの断面図である。風路部２は、回転することによって気流を発生させるファン２１と、ファン２１が配置されるケーシング２２と、ケーシング２２に装着されてファン２１を覆うファンガード２３とを有する。ファンガード２３は、ファン２１の回転の軸に沿って延びる吸込口２４及び吹出口２５をケーシング２２との間に形成し、ファン２１が発生させた気流を吹出口２５へ導く整流板部２３１を有する。また、ファンガード２３は、吹出口２５を覆うグリル部２３２と、吸込口２４を覆うガード部２３３とを有する。ファン２１、ケーシング２２及び整流板部２３１は、ファン２１の回転の軸と交差する方向に気流を吹き出すクロスフローファンを構成している。ガード部２３３は、円筒を軸に沿って切断した半円筒状であり、パンチング加工がなされている。サーキュレータ１００の外部の空気は、パンチング穴を通じて吸込口２４からクロスフローファンに取り込まれる。なお、ガード部２３３は、格子状又は網状であってもよい。
【００１５】
風路部２は、第１支持部３及び第２支持部４によって回動可能に支持されている。風路部２は、ベースプレート１の短辺が延びる方向において、ベースプレート１の一方の長辺１１側からベースプレート１と平行に気流を吹き出す第１の回動位置と、ベースプレート１の他方の長辺１２側からベースプレート１と平行に気流を吹き出す第２の回動位置との間で回動可能である。風路部２は、第１の回動位置から第２の回動位置へ回動する際、又は第２の回動位置から第１の回動位置に回動する際には、ベースプレート１に垂直に気流を吹き出す第３の回動位置を経る。なお、図２は、風路部２が第１の回動位置にある状態を示しており、図３は、風路部２が第２の回動位置にある状態を示しており、図４は、風路部２が第３の回動位置にある状態を示している。
【００１６】
風路部２は、第１の回動位置と第２の回動位置との間であれば、第３の回動位置とは異なる回動位置に配置することもできる。図５は、実施の形態１に係るサーキュレータの断面図である。図５は、ベースプレート１に対して斜め方向に気流を吹き出す状態となる回動位置に風路部２を回動させた状態を示している。
【００１７】
図６は、実施の形態１に係るサーキュレータの分解斜視図である。第１支持部３には、クロスフローファンを駆動するファンモータ３１が設置されている。ファンモータ３１は、モータ固定具３２でベースプレート１に固定される。また、第１支持部３は、ファン２１の第１支持部３側の端部２１１に設置されるケーシング軸３３と、ケーシング軸３３を回転可能に支持する第１ケーシング軸受３４とを備える。第１ケーシング軸受３４は、ベースプレート１に固定される。第１支持部３には、ファンモータ３１及び後述する風路部駆動モータ４３を駆動する制御部３５が設置されている。ファンモータ３１及び制御部３５は、分割構造のカバー３６，３７，３８で覆われている。
【００１８】
第２支持部４には、風路部２を回動させる風向調整機構が収容されている。風向調整機構は、ケーシング２２の第２支持部４側の端部２２１に取り付けられるケーシングギヤ４１と、ベースプレート１に固定され、ケーシングギヤ４１を回転可能に支持する第２ケーシング軸受４２と、ステッピングモータである風路部駆動モータ４３と、風路部駆動モータ４３のシャフトに固定される駆動モータギヤ４４と、ケーシングギヤ４１を覆うギヤカバー４５とで構成される。ケーシングギヤ４１は、外周に歯が形成されている。風路部駆動モータ４３は、ケーシングギヤ４１を覆うギヤカバー４５を介して第２ケーシング軸受４２に固定される。したがって、風路部駆動モータ４３は、ギヤカバー４５及び第２ケーシング軸受４２を介して間接的にベースプレート１に固定されている。ケーシングギヤ４１及び駆動モータギヤ４４は、噛み合った状態でカバー４６によって覆われる。風路部駆動モータ４３にパルス電圧を印加すると、パルスの数の分シャフトが回動し、駆動モータギヤ４４及びケーシングギヤ４１の歯を介してケーシング２２に回転力が伝達され、風路部２が回動する。風路部２が回動することにより、吹出口２５の向きが変化し、気流の吹出方向も変化する。
【００１９】
第１支持部３及び第２支持部４は、ベースプレート１との間にクリアランスがある状態で風路部２を支持している。風路部２が第２の回動位置にあるとき、ガード部２３３は、ベースプレート１と対向するが、クリアランスがあるため、吸込口２４からの空気の取り込みに支障を来すことはない。
【００２０】
図７は、実施の形態１に係るサーキュレータの設置方法を示す図である。サーキュレータ１００は、吹き抜け３０１の壁面３０２に設置される。サーキュレータ１００が設置される高さは、吹き抜け３０１の中間高さである。なお、吹き抜け３０１の中間高さとは、第１の部屋３００の床面３０４から吹き抜け３０１の天井面３０５の高さの２分の１以上３分の２以下の範囲の高さである。サーキュレータ１００は、下方に気流を吹き出すように風路部２の向きが設定される。サーキュレータ１００が設置される壁面３０２は、空気調和装置２００が設置された壁面３０３と対向する壁面である。第１の部屋３００は、隣接する第２の部屋４００と繋がっている。一例を挙げると、第１の部屋３００はリビングであり、第２の部屋４００はダイニングである。なお、図７中の矢印は、空気の流れを示している。
【００２１】
第１の部屋３００は下層階６００に位置し、吹き抜け３０１は上層階７００に位置している。なお、第１の部屋３００と吹き抜け３０１とは、一つの空間であるが、空気調和装置２００の上面２０１の位置を仮想天井面３０６とし、仮想天井面３０６よりも下の部分を下層階６００、仮想天井面３０６以上の高さの部分を上層階７００と定義する。図７に示すように第１の部屋３００に隣接する第２の部屋４００が存在する場合には、第２の部屋４００の天井面４０１を第１の部屋３００まで延長して仮想天井面３０６としてもよい。
【００２２】
上層階７００に位置する吹き抜け３０１には暖かい空気が溜まりやすく、下層階６００に位置する第１の部屋３００には冷たい空気が溜まりやすい。すなわち、吹き抜け３０１と第１の部屋３００とは、温度分布が均一になりにくい二つの空間である。サーキュレータ１００は、吹き抜け３０１に溜まった暖かい空気を床面３０４付近に送り、第１の部屋３００及び吹き抜け３０１の空気を撹拌する。したがって、上述した実施の形態１に係るサーキュレータの設置方法でサーキュレータ１００を設置することにより、空気調和装置２００の運転時に第１の部屋３００及び吹き抜け３０１の温度分布が均一化され、空調効率が向上する。すなわち、実施の形態１に係るサーキュレータの設置方法でサーキュレータ１００を設置することにより、空気調和装置２００の空調運転によるエネルギー消費を抑えることができる。また、第１の部屋３００と第２の部屋４００とが繋がっているため、サーキュレータ１００から吹き出されて床面３０４に到達した気流は第２の部屋４００にも流れ込む。したがって、第２の部屋４００を含めて室内の空気の温度分布を均一化することができる。
【００２３】
サーキュレータ１００は、吹き抜け３０１の中間高さの壁面３０２に設置されるため、脚立又は踏み台に上ればメンテナンス作業を行える。したがって、サーキュレータ１００のメンテナンス作業を行うにあたって、室内に足場を組む必要がなく、容易にメンテナンスを行える。また、屋内でサーキュレータ１００のメンテナンス作業が可能であるため、夜間又は荒天時でもサーキュレータ１００のメンテナンスは容易に行える。
【００２４】
サーキュレータ１００は、ルーバで風向を変更しないため、吹き抜け３０１の中間高さに設置しても床面３０４付近は静粛に保たれる。また、吹き抜け３０１の中間高さにサーキュレータ１００を設置することにより、吹き抜け３０１の天井面３０５に設置する場合と比較して、床面３０４までの距離が短くなるため、サーキュレータ１００から送り出す気流が弱くても床面３０４まで気流が到達する。したがって、静粛性の高い弱ノッチでサーキュレータ１００を運転しても室内の空調効率を高めることができる。
【００２５】
なお、サーキュレータ１００は、空気調和装置２００が設置された壁面３０３と対向する壁面３０２に設置することにより、サーキュレータ１００から吹き出された気流に空気調和装置２００から吹き出された気流が衝突して拡散しやすくなるため、空調効率を高める効果をさらに向上させることができる。
【００２６】
実施の形態２．
図８は、本発明の実施の形態２に係るサーキュレータの設置方法を示す図である。サーキュレータ１００は、上層階７００と下層階６００との２階層に跨がる空間である階段５００の中間高さに相当する下層階６００の天井面６０１に設置されている。なお、階段５００の中間高さとは、下層階６００の天井面６０１と上層階７００の床面７０１との間の高さである。サーキュレータ１００は、下方に気流を吹き出すように風路部２の向きが設定されている。なお、図８中の矢印は、空気の流れを示している。
【００２７】
サーキュレータ１００は、クロスフローファンによって気流を形成するため、階段５００と下層階６００との境界部に空気の壁を形成する。
【００２８】
実施の形態２によれば、上層階７００と下層階６００との間での空気の移動が抑制され、上層階７００の冷気が下層階６００に侵入したり、下層階６００の暖気が上層階７００に侵入したりすることを防ぎ、空調効率の向上を図ることができる。
【００２９】
実施の形態３．
図９は、本発明の実施の形態３に係るサーキュレータの設置方法を示す図である。サーキュレータ１００は、上層階７００と下層階６００との２階層に跨がる空間である階段５００の壁面５０１に設置されている。なお、図９では、サーキュレータ１００は、上層階７００の床面７０１と下層階６００の天井面６０１とを繋ぐ壁面５０１に設置されているが、下層階６００の床面６０２と上層階７００の天井面７０２とを繋ぐ壁面５０２に設置されても良い。サーキュレータ１００が設置された高さは、階段５００の中間高さである。サーキュレータ１００は、上方に気流を吹き出すように風路部２の向きが設定されている。なお、図９中の矢印は、空気の流れを示している。
【００３０】
サーキュレータ１００は、下層階６００の天井面６０１付近の空気を上層階７００に送り込むことができる。したがって、下層階６００に設置された空気調和装置において空調運転が行われている場合には、下層階６００の冷気を上層階７００に送り込むことにより、上層階７００で空気調和装置を稼働することなく上層階７００の快適性を高めることができる。
【００３１】
実施の形態３によれば、下層階６００の天井面６０１付近の空気を上層階７００に送り込むことにより、静粛性を保って空調効率の向上を図ることができる。
【００３２】
実施の形態４．
図１０は、本発明の実施の形態４に係るサーキュレータの設置方法を示す図である。サーキュレータ１００は、空気調和装置が設置された第１の空間である第１の部屋８００と空気調和装置が設置されていない第２の空間である第２の部屋９００とを区切る下がり壁８５０から、下がり壁８５０の高さ程度の長さ離して第１の部屋８００の天井面８０１に設置されている。サーキュレータ１００は、第２の部屋９００に向かって斜め下方に気流を吹き出し、気流が下がり壁８５０の下方を通過するように風路部２の向きが設定されている。なお、図１０中の矢印は、空気の流れを示している。
【００３３】
サーキュレータ１００は、第１の部屋８００の空気を第２の部屋９００に送り込むことができる。したがって、第１の部屋８００に設置された空気調和装置において空調運転が行われている場合には、第１の部屋８００を第２の部屋９００に送り込むことにより、第２の部屋９００で空気調和装置を稼働することなく第２の部屋９００の快適性を高めることができる。
【００３４】
実施の形態４に係るサーキュレータの設置方法で設置したサーキュレータ１００は、下がり壁８５０で隔てられた第２の部屋９００に気流を送り込むことができる。したがって、サーキュレータ１００と同じ第１の部屋８００にだけ空気調和装置を設置しても、下がり壁８５０で隔てられた部屋の快適性を高めることができる。実施の形態４によれば、第１の部屋８００の空気を第２の部屋９００に送り込むことにより、静粛性を保って空調効率の向上を図ることができる。
【００３５】
上記の各実施の形態においては、クロスフローファンで気流を形成するサーキュレータについて説明したが、複数の軸流ファンを並べて気流を形成するサーキュレータを用いて空調効率の向上を図ることも可能である。
【００３６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３７】
１  ベースプレート、２  風路部、３  第１支持部、４  第２支持部、１１，１２  長辺、２１  ファン、２２  ケーシング、２３  ファンガード、２４  吸込口、２５  吹出口、３１  ファンモータ、３２  モータ固定具、３３  ケーシング軸、３４  第１ケーシング軸受、３５  制御部、３６，３７，３８，４６  カバー、４１  ケーシングギヤ、４２  第２ケーシング軸受、４３  風路部駆動モータ、４４  駆動モータギヤ、４５  ギヤカバー、１００  サーキュレータ、２００  空気調和装置、２０１  上面、２１１，２２１  端部、２３１  整流板部、２３２  グリル部、２３３  ガード部、３００，８００  第１の部屋、３０１  吹き抜け、３０２，３０３，５０１，５０２  壁面、３０４，６０２，７０１  床面、３０５，４０１，６０１，７０２，８０１  天井面、３０６  仮想天井面、４００，９００  第２の部屋、５００  階段、６００  下層階、７００  上層階、８５０  下がり壁。
【図１】
2019035554.tif 000003
【図２】
2019035554.tif 000004
【図３】
2019035554.tif 000005
【図４】
2019035554.tif 000006
【図５】
2019035554.tif 000007
【図６】
2019035554.tif 000008
【図７】
2019035554.tif 000009
【図８】
2019035554.tif 000010
【図９】
2019035554.tif 000011
【図１０】
2019035554.tif 000012